(57)【特許請求の範囲】
【請求項１】
複数の船体ブロックまたはコンテナを蔵置する敷地内の複数の基準位置を基準位置特定用ＧＰＳ受信機の出力を用いて測位された前記複数の基準位置に関する位置情報に基づいて、前記敷地内を複数の蔵置領域に区分けして、前記複数の蔵置領域のそれぞれの中心位置を特定し、前記複数の蔵置領域と該複数の蔵置領域に蔵置されている複数の前記船体ブロックまたはコンテナの識別情報との組み合わせ情報を蔵置位置情報として蔵置位置管理データベースに記憶させ、
表示部と入力部と前記基準位置特定用ＧＰＳ受信機よりも精度が低い携帯ＧＰＳ受信機とを備えて、前記船体ブロックまたはコンテナを移動させる作業を実施する作業者が携帯する携帯型情報端末を用いて、前記携帯ＧＰＳ受信機の出力に基づいて前記携帯型情報端末の位置を測位し、前記携帯型情報端末の位置と前記複数の蔵置領域の前記中心位置との間の相互距離を繰り返し演算し、
所定期間内に演算をした複数の前記相互距離の中から最短距離となる前記携帯型情報端末の位置を現在位置と特定し、
前記現在位置の特定に使用された前記中心位置を含む蔵置領域を前記船体ブロックまたはコンテナの蔵置位置として決定することをコンピュータを用いて実施すること特徴とする蔵置位置決定方法。
【請求項２】
前記蔵置位置を前記携帯型情報端末の前記表示部に表示した状態で、前記携帯型情報端末の前記入力部により前記表示部に表示された前記蔵置位置として決定された前記蔵置領域を選択すると、該蔵置領域を前記船体ブロックまたはコンテナの蔵置位置として前記携帯型情報端末に内蔵する一時記憶部に記憶させるかまたは前記蔵置位置管理データベースに前記船体ブロックまたはコンテナが蔵置された前記蔵置位置として記憶させ、前記蔵置位置にある前記蔵置領域とは異なる蔵置領域が前記入力部から入力されると前記異なる蔵置領域を前記船体ブロックまたはコンテナの蔵置位置として前記一時記憶部に記憶させるかまたは前記蔵置位置管理データベースに前記船体ブロックが蔵置された前記蔵置位置として記憶させることを特徴とする請求項１に記載の蔵置位置決定方法。
【請求項３】
複数の船体ブロックまたはコンテナを蔵置する敷地内の複数の基準位置を基準位置特定用ＧＰＳ受信機の出力を用いて測位された前記複数の基準位置の位置情報に基づいて、前記敷地内を複数の蔵置領域に区分けし、前記複数の蔵置領域のそれぞれの中心位置を特定した領域中心位置特定情報と、前記複数の蔵置領域と該複数の蔵置領域に蔵置されている複数の前記船体ブロックまたはコンテナの識別情報との組み合わせ情報を蔵置位置情報として保存する蔵置位置管理データベースと、
表示部と入力部と前記基準位置特定用ＧＰＳ受信機よりも精度が低い携帯ＧＰＳ受信機とを備え、前記船体ブロックまたはコンテナを移動させる作業を実施する作業者が携帯する携帯型情報端末と、
前記携帯ＧＰＳ受信機の出力に基づいて測位された前記携帯型情報端末の位置と、前記複数の蔵置領域の前記中心位置との間の相互距離を繰り返し演算する相互距離演算部と、
前記相互距離演算部が所定期間内に演算をした複数の前記相互距離の中から最短距離となる前記携帯型情報端末の位置を現在位置と特定し、前記現在位置の特定に使用された前記中心位置を含む蔵置位置を前記船体ブロックまたはコンテナの蔵置位置と決定する蔵置位置決定部と、
前記蔵置位置決定部が決定した前記蔵置位置を前記携帯型情報端末の前記表示部に表示する表示制御部と、
前記蔵置位置を前記携帯型情報端末の前記表示部に表示した状態で、前記携帯型情報端末の前記入力部により前記表示部に表示された前記蔵置位置にある前記蔵置領域を選択すると、該蔵置領域を前記船体ブロックまたはコンテナの蔵置位置として前記携帯型情報端末に内蔵する一時記憶部に記憶させるかまたは前記蔵置位置管理データベースに前記船体ブロックまたはコンテナが蔵置された前記蔵置位置として記憶させ、前記蔵置位置にある前記蔵置領域とは異なる蔵置領域が前記入力部から入力されると前記異なる蔵置領域を前記船体ブロックまたはコンテナの蔵置位置として前記一時記憶部に記憶させるかまたは前記蔵置位置管理データベースに前記船体ブロックまたはコンテナが蔵置された前記蔵置位置として記憶させる記憶操作部とを備えてなる蔵置位置管理システム。
【請求項４】
前記蔵置位置決定部は、前記所定期間内における前記相互距離の前記最短距離の変動幅が予め定めた値より大きい場合には、蔵置位置の決定を中止することを特徴とする請求項３に記載の蔵置位置管理システム。
【請求項５】
前記表示制御部は、前記蔵置位置管理データベースに記憶されている情報に基づいて、前記入力部から入力した蔵置位置を含む領域地図を前記表示部に表示する機能を有する請求項３または４に記載の蔵置位置管理システム。
【請求項６】
前記蔵置位置管理データベースは、２以上の前記蔵置領域が並んで構成された複数の領域列が、一方向に列として並ぶように、前記敷地を前記複数の蔵置領域に区分けしており、
前記表示制御部は、前記蔵置位置決定部が決定した前記蔵置位置にある蔵置領域以外の蔵置領域のうち他の船体ブロックまたはコンテナが蔵置されていない前記蔵置領域のすべてを蔵置可能領域として表示する機能を有する請求項３に記載の蔵置位置管理システム。
【請求項７】
前記携帯型情報端末は、前記一時記憶部に記憶されている情報を前記蔵置位置管理データベースに転送する機能を有している請求項３に記載の蔵置位置管理システム。
【請求項８】
作業工程を管理する工程管理データベースと、
前記蔵置位置管理データベースのデータと工程管理データベースのデータとに基づいて、前記船体ブロックまたはコンテナの蔵置位置を前記携帯型情報端末に指示する蔵置位置指示部とを更に備えている請求項３に記載の蔵置位置管理システム。
【発明の詳細な説明】
【技術分野】
【０００１】
本発明は、複数の船体ブロック及び／またはコンテナを敷地内に蔵置する場合に使用する蔵置位置決定方法及び蔵置位置管理システムに関するものである。
【背景技術】
【０００２】
特開２０１１−８８５５４号公報には、造船所内における船体ブロックの配置作業を支援するためのブロック配置支援システムが開示されている。この特許文献に記載されているように、造船所において、ブロックの配置場所の管理は、非常に複雑な面があり、コンピュータを利用した適切な管理が模索されている。しかしながら従来の技術では、データベース上においてブロックの配置場所を管理しているだけで、実際に決められた場所に所定のブロックが配置されているか否かの確認は行われていない。
【先行技術文献】
【特許文献】
【０００３】
【特許文献１】特開２０１１−８８５５４号公報
【発明の開示】
【発明が解決しようとする課題】
【０００４】
ブロックを移動させる作業者が、指示書にしたがって所定のブロックを所定の配置位置に配置したつもりでも、実際には、指示とは異なった場所に、ブロックを移動させている場合がある。また作業者が指定された場所に配置されているブロックを移動させるために現場に行ってみると、指定された場所にブロックがない場合もある。さらに作業者が指定された場所にブロックを移動させるために現場に行ってみると、指定された場所にすでに他のブロックが配置されている場合もある。これらの問題は、指示書の誤りや、作業者の確認ミスが原因となっている。
【０００５】
本発明の目的は、造船所内における船体ブロックまたはコンテナの配置場所に関する情報を正確に取得してデータベースに記録することができる蔵置位置決定方法及び蔵置位置管理システムを提供することにある。
【課題を解決するための手段】
【０００６】
本発明の蔵置位置決定方法は、まず複数の船体ブロックまたはコンテナを蔵置する敷地内の複数の基準位置を基準位置特定用ＧＰＳ受信機の出力を用いて測位された複数の基準位置に関する位置情報に基づいて、敷地内を複数の蔵置領域に区分けして、複数の蔵置領域のそれぞれの中心位置を特定する。そして複数の蔵置領域と該複数の蔵置領域に蔵置されている複数の船体ブロックまたはコンテナの識別情報との組み合わせ情報を蔵置位置情報として蔵置位置管理データベースに記憶させる。
【０００７】
次に、表示部と入力部と基準位置特定用ＧＰＳ受信機よりも精度が低い携帯ＧＰＳ受信機とを備えて、船体ブロックまたはコンテナを移動させる作業を実施する作業者が携帯する携帯型情報端末を用いて、携帯ＧＰＳ受信機の出力に基づいて携帯型情報端末の位置を測位し、携帯型情報端末の位置と複数の蔵置領域の中心位置との間の相互距離を繰り返し演算する。次に、所定期間内に演算をした複数の相互距離の中から最短距離となる携帯型情報端末の位置を現在位置と特定する。そして最後に、現在位置の特定に使用された中心位置を含む蔵置位置を船体ブロックまたはコンテナの蔵置位置として決定する。本発明の方法では、コンピュータを用いて各工程を実施する。
【０００８】
本発明では、敷地内の複数の蔵置領域の中心位置情報を、精度の高い基準位置特定用ＧＰＳ受信機の出力を用いて定めているので、作業者が持つ携帯型情報端末内のＧＰＳは、安価で精度が低いものでもよい。そして作業者が持つ携帯型情報端末と複数の蔵置領域の中心位置との間の距離が最短距離になる位置にある蔵置領域を、作業者が船体ブロックまたはコンテナを蔵置した蔵置位置であると決定し、この決定データを蔵置位置管理データベースに記憶させるので、蔵置位置に関する誤った入力を減らすことができる。
【０００９】
蔵置位置を携帯型情報端末の表示部に表示した状態で、携帯型情報端末の入力部により表示部に表示された蔵置位置にある蔵置領域を選択すると、該蔵置領域を船体ブロックまたはコンテナの蔵置位置として携帯型情報端末に内蔵する一時記憶部に記憶させるかまたは蔵置位置管理データベースに船体ブロックまたはコンテナが蔵置された蔵置位置として記憶させる。また蔵置位置にある蔵置領域とは異なる蔵置領域が蔵置位置として入力部から入力されると異なる蔵置領域を船体ブロックまたはコンテナの蔵置位置として一時記憶部に記憶させるかまたは蔵置位置管理データベースに船体ブロックが蔵置された蔵置位置として記憶させるのが好ましい。
【００１０】
このようにすると、演算誤りがあった場合に、作業者による校正が可能になる。なお携帯型情報端末の一次記憶部に蔵置領域を記憶させるのは、通信設備が使用できない状況がある場合に、後から蔵置位置管理データベースに記憶させることが可能になる。
【００１１】
本発明の蔵置位置管理システムは、蔵置位置管理データベースと、携帯型情報端末と、相互距離演算部と、蔵置位置決定部と、表示制御部と、記憶操作部とを備えている。蔵置位置管理データベースは、複数の船体ブロックまたはコンテナを蔵置する敷地内の複数の基準位置を基準位置特定用ＧＰＳ受信機の出力を用いて測位された複数の基準位置の位置情報に基づいて、敷地内を複数の蔵置領域に区分けし、複数の蔵置領域のそれぞれの中心位置を特定した領域中心位置特定情報と、複数の蔵置領域と該複数の蔵置領域に蔵置されている複数の船体ブロックまたはコンテナの識別情報との組み合わせ情報を蔵置位置情報として保存する。携帯型情報端末は、表示部と入力部と基準位置特定用ＧＰＳ受信機よりも精度が低い携帯ＧＰＳ受信機とを備え、船体ブロックまたはコンテナを移動させる作業を実施する作業者が携帯する。相互距離演算部は、携帯ＧＰＳ受信機の出力に基づいて測位された携帯型情報端末の位置と、複数の蔵置領域の中心位置との間の相互距離を繰り返し演算する。そして蔵置位置決定部は、相互距離演算部が所定期間内に演算をした複数の前記相互距離の中から最短距離となる携帯型情報端末の位置を現在位置と特定し、現在位置の特定に使用された中心位置を含む蔵置位置を船体ブロックまたはコンテナの蔵置位置と決定する。表示制御部は、蔵置位置決定部が決定した蔵置位置を携帯型情報端末の表示部に表示する。記憶操作部は、蔵置位置を携帯型情報端末の表示部に表示した状態で、携帯型情報端末の入力部により表示部に表示された蔵置位置にある蔵置領域を選択すると、該蔵置領域を船体ブロックまたはコンテナの蔵置位置として携帯型情報端末に内蔵する一時記憶部に記憶させるかまたは蔵置位置管理データベースに前記船体ブロックまたはコンテナが蔵置された蔵置位置として記憶させ、蔵置位置にある蔵置領域とは異なる蔵置領域が蔵置位置として入力部から入力されると異なる蔵置領域を船体ブロックまたはコンテナの蔵置位置として一時記憶部に記憶させるかまたは蔵置位置管理データベースに船体ブロックまたはコンテナが蔵置された蔵置領域として記憶させる。
【００１２】
本発明の蔵置位置管理システムによれば、本発明の方法を実施することができて、しかも決定データを蔵置位置管理データベースに記憶させることにより、蔵置位置の誤った入力を減らすことができる。
【００１３】
蔵置位置決定部は、所定期間内における相互距離の最短距離の変動幅が予め定めた値より大きい場合には、蔵置位置の決定を中止するように構成するのが好ましい。相互距離の変動幅が予め定めた値より大きくなる場合には、携帯ＧＰＳ受信機の故障や、電波障害が発生していることが考えられる。このような場合においては、システムによる蔵置位置の決定の信頼性が低下するのが好ましい。
【００１４】
表示制御部は、蔵置位置管理データベースに記憶されている情報に基づいて、入力部から入力した蔵置位置を含む領域地図を表示部に表示する機能を有しているのが好ましい。このような機能を表示制御部が有していると、入力の確認をすることができる。
【００１５】
蔵置位置管理データベースは、２以上の蔵置領域が並んで構成された複数の領域列が、一方向に列として並ぶように、敷地を複数の蔵置領域に区分けしている場合がある。この場合には、表示制御部は、蔵置位置決定部が決定した蔵置位置以外の蔵置領域のうち他の船体ブロックまたはコンテナが蔵置されていない蔵置領域のすべてを蔵置可能領域として表示する機能を有しているのが好ましい。このようにすると決定した蔵置領域に既に船体ブロックまたはコンテナがある場合や決定した蔵置領域よりも奥の他の蔵置領域に船体ブロックまたはコンテナを置くことが可能になる。
【００１６】
携帯型情報端末は、一時記憶部に記憶されている情報を蔵置位置管理データベースに転送する機能を有しているのが好ましい。このようにすると周囲に電波を反射する金属が多数ある造船所であっても、受信設備を十分に整備すれば、携帯型情報端末から蔵置位置管理データベースにデータを転送できることが可能になる。
【００１７】
蔵置位置管理システムは、作業工程を管理する工程管理データベースと、蔵置位置管理データベースのデータと工程管理データベースのデータとに基づいて、船体ブロックまたはコンテナの蔵置位置を携帯型情報端末に指示する蔵置位置指示部とを更に備えることができる。このようにすると、携帯型情報端末を、船体ブロックまたはコンテナを取りに行く際のツールとして使用することが可能になる。
【図面の簡単な説明】
【００１８】
【図１】本発明の蔵置位置決定方法を実施する本発明の蔵置位置管理システムの実施の形態の構成の一例を示すブロック図である。
【図２】図１の蔵置位置管理システムをコンピュータを用いて実現する場合に用いる、コンピュータプログラムのアルゴリズムを示すフローチャートである。
【図３】蔵置位置管理データベースに保存する蔵置位置情報の決定方法について説明するために用いる図である。
【図４】表示部の表示画面の例を示す図である。
【発明を実施するための形態】
【００１９】
以下図面を参照して本発明の蔵置位置決定方法及び蔵置位置管理システムの実施の形態の詳細を説明する。
【００２０】
図１は本発明の蔵置位置決定方法を実施する本発明の蔵置位置管理システムの実施の形態の構成の一例を示すブロック図である。図２は、図１の蔵置位置管理システムをコンピュータを用いて実現する場合に用いる、コンピュータプログラムのアルゴリズムを示すフローチャートである。造船所において船を建造する場合、一般的には、船体を複数の船体ブロックに分けて製造し、ドックにおいて複数の船体ブロックをつなぎ合わせることにより船体を製造する。一つの造船所では、同時に複数隻の船体の建造が行われているため、造船所の敷地内には複数隻分の多数の船体ブロックが置かれているのが現状である。図１の実施の形態は、複数の船体ブロックの蔵置位置を管理する蔵置位置管理システムを提供する。以下の説明では、図１の構成の説明と一緒に図２に示したフローチャートのステップについても併せて説明する。
【００２１】
図１において、符号１で示したものはホストコンピュータであり、このホストコンピュータ１には、無線ＬＡＮを介してＰＤＡ等からなる複数台の携帯型情報端末２が接続され、社内ＬＡＮを介してパーソナルコンピュータ等からなる複数台の端末装置３が接続される。ホストコンピュータ１は、蔵置位置管理データベース１１と、工程管理データベース１２と、蔵置位置指示部１３とを含んでいる。
【００２２】
まず最初に、図３を用いて、蔵置位置管理データベース１１に保存する蔵置位置情報の決定方法について説明する。図３に示すように、複数の船体ブロックを蔵置する造船所内の所定の敷地Ｓ内における複数の基準位置Ｐm1〜Ｐm4（図３の場合には、四角形輪郭の敷地Ｓの四隅の位置）を高精度の基準位置特定用ＧＰＳ受信機の出力を用いて測位して複数の基準位置Ｐm1〜Ｐm4の位置情報を取得する。基準位置特定用ＧＰＳ受信機は、ＧＰＳ情報を平面直角座標変換し、その変換値から距離計算を行い、敷地Ｓの四隅の位置（Ｐm1〜Ｐm4）の位置情報を出力する。これらの位置情報により、敷地Ｓの場所を判定することが可能になる。そして敷地Ｓの四隅の位置（Ｐm1〜Ｐm4）の位置情報に基づいて、敷地Ｓ内を複数の蔵置領域に区分けする。図３の例では、２以上の蔵置領域が並んで構成された複数の領域列（ＳＡ１〜ＳＡ４またはＳＡ１１〜ＳＡ１４）が、一方向に並列するように、敷地を複数の蔵置領域に区分けしている。この四隅の位置（Ｐm1〜Ｐm4）の位置情報及び複数の蔵置領域の情報は、蔵置位置管理データベース１１に事前に保存される。図３の例では８つの蔵置領域ＳＡ１〜ＳＡ４，ＳＡ１１〜ＳＡ１４に区分けし、８つの蔵置領域ＳＡ１〜ＳＡ４，ＳＡ１１〜ＳＡ１４のそれぞれの中心位置Ｐcb1〜Ｐcb4，Ｐcf1〜Ｐcf4を特定した領域中心位置特定情報を演算により求める。この領域中心位置特定情報は、蔵置位置管理データベース１１に保存される。さらに蔵置位置管理データベース１１には、複数の蔵置領域（ＳＡ１〜ＳＡ４，ＳＡ１１〜ＳＡ１４）と該複数の蔵置領域に蔵置されている複数の船体ブロックの識別情報との組み合わせ情報を蔵置位置情報として保存している。なお高精度の基準位置特定用ＧＰＳ受信機の出力を用いて複数の基準位置Ｐm1〜Ｐm4の位置情報を取得することは、蔵置位置管理データベース１１を構築する際に、少なくとも一度行えばよく、領域中心位置特定情報の演算もその際に少なくとも一度行えばよい。
【００２３】
工程管理データベース１２は、船舶を建造するために必要な全ての作業工程を管理するための情報を保存している。そして蔵置位置指示部１３は、蔵置位置管理データベース１１のデータと工程管理データベース１２のデータとに基づいて、船体ブロックの蔵置位置を決定して、船体ブロックを大型の移動用台車を用いて移動させる作業を行う作業者が携帯する携帯型情報端末２に指示する。
【００２４】
本実施の形態で使用する携帯型情報端末２は、基準位置特定用ＧＰＳ受信機よりも精度が低い携帯ＧＰＳ受信機２１，相互距離演算部２２，蔵置位置決定部２３，記憶操作部２４，一時記憶部２５，通信部２６，表示制御部２７，表示部２８及び入力部２９を備えている。携帯型情報端末２は、通信部２６を介して、蔵置位置指示部１３から移動させる船体ブロックの蔵置位置を指示する情報を取得し、併せて蔵置位置管理データベース１１から蔵置位置情報（複数の蔵置領域の領域中心位置特定情報、複数の蔵置領域と該複数の蔵置領域に蔵置されている複数の船体ブロックの識別情報との組み合わせ情報）を受信する（図２のステップＳＴ１）。
【００２５】
次に携帯型情報端末２は、衛星から携帯ＧＰＳ受信機２１によりＧＰＳ信号を１秒間に１回受信し、受信信号を直角座標変換した信号を出力する（図２のステップＳＴ２）。相互距離演算部２２は、船体ブロックを移動させる作業を実施する作業者が携帯する携帯型情報端末２を用いて、携帯ＧＰＳ受信機２１の出力に基づいて携帯型情報端末２の位置を１秒間に１回ずつ測位し、携帯型情報端末２の位置と複数の蔵置領域（ＳＡ１〜ＳＡ４，ＳＡ１１〜ＳＡ１４）の中心位置（Ｐcb1〜Ｐcb4，Ｐcf1〜Ｐcf4）との間の相互距離（ｌ11〜ｌ14，ｌ21〜ｌ24）を繰り返し演算する（ステップＳＴ３）。次に、蔵置位置決定部２３は、所定期間内に演算をした複数の相互距離の中から最短距離となる携帯型情報端末２の位置を現在位置と仮に特定する（ステップＳＴ４）。図３に示す×印（Ｐp1，Ｐp2等）は、所定の期間内に携帯ＧＰＳ受信機２１から出力された現在位置の位置情報である。精度の低いＧＰＳ受信機では、かなりのバラツキがあるため、本発明では、所定期間内に演算をした複数の相互距離（ｌ11〜ｌ14，ｌ21〜ｌ24）の中から最短距離となる携帯型情報端末２の位置を現在位置と特定する。
【００２６】
また、蔵置位置決定部２３は、所定期間内における相互距離の最短距離の変動幅が予め定めた値Ｗより大きい場合に、蔵置位置の決定を中止する（ステップＳＴ５〜ＳＴ７及びステップＳＴ１１）。本実施の形態では、表示部２８にエラーの表示をする。作業者は、エラー表示をみて、再施行し、エラーが続くようであれば、携帯型情報端末を交換することになる。これは相互距離の最短距離の変動幅が予め定めた値Ｗより大きくなる場合には、携帯ＧＰＳ受信機の故障や、電波障害が発生していることが考えられるからである。そして蔵置位置決定部２３は、所定期間内における相互距離の最短距離の変動幅が予め定めた値Ｗ以下になる位置を携帯ＧＰＳ受信機２１の現在位置として決定し（ステップＳＴ８）、現在位置の特定に使用された中心位置を含む蔵置領域を船体ブロックの蔵置位置として決定する（ステップＳＴ９）。表示制御部２７は、決定した蔵置位置を表示部２８の表示画面に表示する（ステップＳＴ１０）。
【００２７】
最短距離となる携帯型情報端末２の位置を求めるため、図３の例では、携帯型情報端末２に近い側の領域列（ＳＡ１１〜ＳＡ１４）に含まれる４つの蔵置領域の中心位置と現在位置との最短距離を求めている。
【００２８】
但し、領域列（ＳＡ１〜ＳＡ４）に隣接して搬送用の道路が無い場合には、領域列（ＳＡ１〜ＳＡ４）中の蔵置領域に、船体ブロックを領域列（ＳＡ１１〜ＳＡ１４）側から領域列（ＳＡ１〜ＳＡ４）中に進入して、船体ブロックを蔵置する場合がある。このような場合を考慮して、後に説明するように、本実施の形態では、蔵置位置決定部２３で決定した蔵置位置を作業者の操作により変更することができるようになっている。
【００２９】
図４に示す表示部２８の表示画面のように、表示制御部２７は、蔵置位置決定部２３が決定した蔵置位置（蔵置領域１６）を携帯型情報端末２の表示部２８に表示する。図４の例では、表示部２８上に表示した蔵置領域のうち蔵置位置として決定された蔵置領域の表示態様を他の蔵置領域の表示態様とは異ならせている。具体的には蔵置領域を示す記号（数字）の背景色を変えている。
【００３０】
記憶操作部２４は、表示された蔵置位置（図４の領域１６）を携帯型情報端末２の表示部２８に表示した状態で、携帯型情報端末２の入力部２９により表示部２８に表示された蔵置位置にある蔵置領域（図４の領域１６）を選択すると、該蔵置領域（１６）を船体ブロックの蔵置領域として携帯型情報端末２に内蔵する一時記憶部２５に記憶させるかまたは蔵置位置管理データベース１１に船体ブロックが蔵置された蔵置位置として記憶させる（ステップＳＴ１２，ＳＴ１３）。また記憶操作部２４は、蔵置位置（図４の領域１６）にある蔵置領域とは異なる蔵置領域（図４の領域１５）が、カーソルのクリックにより入力されると異なる蔵置領域（図４の領域１５）を船体ブロックの蔵置位置として一時記憶部に記憶させるかまたは蔵置位置管理データベース１１に船体ブロックが蔵置された蔵置位置として記憶させる（ステップＳＴ１２，ＳＴ１４）。本実施の形態では、表示部２８の画面が、入力部２９を構成している。本実施の形態ではカーソルで選択を行ったが、タッチペン等による画面のタッチで選択を行うようにしてもよいのは勿論である。
【００３１】
本実施の形態では、表示制御部２７が、蔵置位置決定部２３が決定した蔵置位置にある蔵置領域以外の蔵置領域のうち他の船体ブロックが蔵置されていない蔵置領域のすべてを蔵置可能領域として表示部２８に表示する。図４の例では、蔵置領域に斜め線が引かれている領域が既に船体ブロックが蔵置されている領域を示しており、蔵置領域に記号（数字）だけが表示されていて背景色が無地の領域が、蔵置可能領域である。このようにすると決定した蔵置領域に既に船体ブロックまたはコンテナがある場合や決定した蔵置領域よりも奥の他の蔵置領域に船体ブロックまたはコンテナを置くことが可能になる。
【００３２】
本実施の形態では、図４に示すように、表示制御部２７は、特定した現在位置（＊印の位置）を含む領域地図を表示部２８に表示する機能を有している。このような機能を持てば、作業が容易になる上、蔵置位置の選択が容易になる。また表示制御部２７は、蔵置位置管理データベース１１に記憶されている情報に基づいて、入力部２９から入力した蔵置位置を含む領域地図を表示部に表示する機能を有しているのが好ましい。このような機能を表示制御部２７が有していると、入力の確認をすることができる。
【００３３】
上記実施の形態では、無線ＬＡＮにより、一時記憶部２５に記憶した蔵置位置データを蔵置位置管理データベース１１に送信しているが、通信状態が悪い環境もあるため、無線ＬＡＮを利用せずに、作業者が、事務所に戻り端末装置３等の入力機器から、装置位置データを蔵置位置管理データベース１１に入力するようにしてもよい。このようなことを可能にするためには、携帯型情報端末として出力ポートを備えたものを用いればよい。
【００３４】
上記実施の形態では、蔵置対象を船体ブロックとしているが、蔵置対象はコンテナでもよいのは勿論である。
【産業上の利用可能性】
【００３５】
本発明では、敷地内の複数の蔵置領域の中心位置情報を、精度の高い基準位置特定用ＧＰＳ受信機の出力を用いて定められているので、作業者が持つ携帯型情報端末内のＧＰＳは、安価で精度が低いものでもよい。そして作業者が持つ携帯型情報端と複数の蔵置領域の中心位置との間の距離が最短距離になる位置にある蔵置領域を、作業者が船体ブロックを蔵置した蔵置位置であると決定し、この決定データを蔵置位置管理データベースに記憶させるので、蔵置位置に関する誤った入力を減らすことができる。
【符号の説明】
【００３６】
１  ホストコンピュータ
２  携帯型情報端末
３  端末装置
１１  蔵置位置管理データベース
１２  工程管理データベース
１３  蔵置位置指示部
２１  携帯ＧＰＳ受信機
２２  相互距離演算部
２３  蔵置位置決定部
２４  記憶操作部
２５  一時記憶部
２６  通信部
２７  表示制御部
２８  表示部
２９  入力部
【図１】
0006534572.tif 000002
【図２】
0006534572.tif 000003
【図３】
0006534572.tif 000004
【図４】
0006534572.tif 000005